(57)【要約】【課題】メタン発酵における処理効率を向上し、安定した発酵状態を長期にわたって維持できるメタン発酵処理方法を提供する。【解決手段】嫌気性微生物によって分解可能な有機性廃棄物のメタン発酵処理方法であって、メタン発酵槽１４内の硫化水素濃度を、硫化水素濃度分析計２０で測定し、この測定値が所定値以下となるようにメタン発酵槽１４内の硫化水素濃度を調整した後、ニッケル・コバルト供給タンク１９によって、メタン発酵槽１４内にニッケル化合物及び／又はコバルト化合物を添加する。硫化水素濃度の調整は、鉄供給タンク１８により鉄化合物を添加することが好ましい。【選択図】　図１
2004025088.tif 000002
【特許請求の範囲】
【請求項１】
嫌気性微生物によって分解可能な有機性廃棄物のメタン発酵処理方法であって、
メタン発酵槽内の硫化水素濃度を測定し、この測定値が所定値以下となるように前記メタン発酵槽内の硫化水素濃度を調整した後、前記メタン発酵槽内にニッケル化合物及び／又はコバルト化合物を添加することを特徴とするメタン発酵処理方法。
【請求項２】
前記硫化水素濃度の調整を、前記メタン発酵槽内に鉄化合物を添加することにより行なう請求項１記載のメタン発酵処理方法。
【請求項３】
前記硫化水素濃度が１００ｐｐｍ以下となるように調整する請求項１又は２に記載のメタン発酵処理方法。
【請求項４】
前記メタン発酵処理を５０〜６０℃で行なう請求項１〜３のいずれか一つに記載のメタン発酵処理方法。
【発明の詳細な説明】
【０００１】
【発明の属する技術分野】
本発明は、嫌気性微生物を用いて、生ゴミ、食品加工残滓、活性汚泥処理等の余剰汚泥等の有機性廃棄物を処理するメタン発酵処理方法に関する。
【０００２】
【従来の技術】
生ゴミ等の有機性廃棄物のほとんどは、焼却や埋立処分されているが、焼却に伴うダイオキシンの発生や埋立処分地の逼迫、悪臭などの問題から、環境負荷の少ない処理方法が求められている。これらの問題を解決するために有機性廃棄物をメタン発酵処理し、発生したメタンガスを燃料電池やガスエンジンを用いて発電するシステムが研究、開発されている。
【０００３】
メタン発酵処理は、有機性廃棄物を粉砕、スラリー化した後、このスラリーを発酵槽に投入し、嫌気性下でメタン菌により発酵処理して有機性廃棄物をバイオガスと水とに分解する方法であり、有機性廃棄物を大幅に減量することができると共に、副産物として生成するメタンガスをエネルギーとして回収できるメリットがある。また、嫌気性のため曝気動力が不要であるため省エネルギーな処理法である。
【０００４】
ここで、上記のメタン発酵においては、効率よく有機性廃棄物を分解してメタンガスを取り出す必要があるため、メタン発酵槽内の発酵状態を最適に制御することが重要である。このような、メタン発酵槽内の発酵効率を向上させる方法として、メタン菌の栄養素となる金属である、ニッケルやコバルト等をメタン発酵槽内に添加することが知られている。
【０００５】
例えば、特開平３−１５４６９２号公報には、過負荷によって、全有機性炭素（ＴＯＣ）が低下した際に、メタン菌の代謝に必要なニッケル化合物、コバルト化合物、窒素化合物、リン酸化合物が所定の比率になるように、前記化合物のいずれか、あるいは、すべてを添加することが開示されている。
【０００６】
また、特開平１１−２８４４５号公報には、嫌気性生物にて分解可能な固形状の有機性廃棄物を含有する廃棄物を破砕した破砕物をメタン発酵処理する廃棄物処理方法において、メタン発酵処理時の前記破砕物中の全蒸発残留物の濃度（ＴＳ濃度）が５％以上となる場合、鉄化合物、コバルト化合物及びニッケル化合物の少なくともいずれか一方を添加する廃棄物処理方法が開示されている。
【０００７】
【発明が解決しようとする課題】
ニッケル、コバルトは、メタン菌の代謝に必要な金属として菌体内に存在する補酵素に含有されており、酢酸や水素、二酸化炭素の基質からメタンを生成する際の代謝経路を速やかに進行させる働きがある。ここで、上記のニッケル、コバルトがメタン菌に有効に取り込まれるには、それぞれニッケルイオン、コバルトイオンなるフリーの金属イオンの状態であることが必要とされる。
【０００８】
しかしながら、生ゴミなどの有機性廃棄物を投入するメタン発酵処理方法においては、この有機性廃棄物中に含まれる硫酸イオンが、硫酸還元菌によって還元されて硫化水素を発生する。そして、硫化水素はイオン化して溶解性硫化水素イオン（ＨＳ−）の状態で存在している。
【０００９】
したがって、ニッケル化合物およびコバルト化合物のみをメタン発酵槽内へ添加するか、又は原料となる有機性廃棄物スラリーに添加すると、ニッケル、コバルトが発酵槽内の硫化水素イオンと容易に結合して硫化ニッケルおよび硫化コバルトとなってしまい、メタン菌には有効に取り込まれない。
【００１０】
よって、上記の特開平３−１５４６９２号公報の方法や、特開平１１−２８４４５号公報の方法においては、上記の硫化水素が、メタン菌へのニッケルやコバルトの取り込みを妨害するので、メタン菌の活性を充分に向上できないという問題があった。
【００１１】
したがって、本発明の目的は、上記の問題を解決して、メタン菌の活性を充分に向上して安定した発酵状態を長期間維持できる、メタン発酵処理方法を提供することにある。
【００１２】
【課題を解決するための手段】
上記目的を達成するため、本発明者等は鋭意検討した結果、あらかじめメタン発酵槽内の硫化水素を取除き、その後に、ニッケル、コバルトをメタン発酵槽内に添加することにより、上記の問題点を解決できることを見出し本発明を完成するに至った。
【００１３】
すなわち、本発明のメタン発酵処理方法は、嫌気性微生物によって分解可能な有機性廃棄物のメタン発酵処理方法であって、
メタン発酵槽内の硫化水素濃度を測定し、この測定値が所定値以下となるように前記メタン発酵槽内の硫化水素濃度を調整した後、前記メタン発酵槽内にニッケル化合物及び／又はコバルト化合物を添加することを特徴とする。
【００１４】
本発明のメタン発酵処理方法によれば、ニッケル化合物、コバルト化合物の添加前に、あらかじめ硫化水素濃度が低下されているので、ニッケル、コバルトを金属イオンの状態でメタン菌内へ有効に取り込むことができる。したがって、メタン菌の活性を充分に向上して、安定した発酵状態を長期間にわたって維持することができる。
【００１５】
本発明においては、前記硫化水素濃度の調整を、前記メタン発酵槽内に鉄化合物を添加することにより行なうことが好ましい。これによれば、硫化水素が鉄化合物と反応して硫化鉄となるので、メタン発酵槽内の硫化水素濃度の低下を迅速、確実に行なうことができる。
【００１６】
また、本発明においては、前記硫化水素濃度が１００ｐｐｍ以下となるように調整することが好ましい。これによれば、硫化水素の影響を充分に低下させた状態でニッケル、コバルトを添加できるので、メタン菌の活性を更に向上できる。
【００１７】
更に、本発明においては、前記メタン発酵処理を５０〜６０℃で行なうことが好ましい。これによれば、より活性の高い、高温メタン菌での発酵が行なえるので、有機性廃棄物の分解速度を更に向上することができる。
【００１８】
【発明の実施の形態】
以下、本発明について図面を用いて更に詳細に説明する。図１には、本発明のメタン発酵処理方法に用いることができるメタン発酵処理装置の概略構成図が示されている。
【００１９】
まず、図１の処理装置について説明すると、この処理装置は、有機性廃棄物を粉砕する粉砕機１１、微粉砕機１２と、これをスラリー化するスラリー調整槽１３と、メタン発酵槽１４と、生成したバイオガスを貯留するためのガスタンクホルダー１６とで主に構成されている。
【００２０】
有機性廃棄物を投入、粉砕するための粉砕機１１は、供給配管によって微粉砕機１２に連結され、更に、有機性廃棄物をスラリー化するスラリー調整槽１３に連結されるように構成されている。そして、スラリー調整槽１３からの供給配管が、メタン発酵槽１４に接続され、スラリー調整槽１３とメタン発酵槽１４とが連結されている。
【００２１】
メタン発酵槽１４には、鉄化合物を添加するための鉄供給タンク１８、及び、ニッケル化合物及び／又はコバルト化合物を供給するためのニッケル・コバルト供給タンク１９が接続されている。ここで、鉄供給タンク１８、ニッケル・コバルト供給タンク１９としては、従来公知の溶液供給装置等が使用できる。
【００２２】
また、メタン発酵槽１４内には、スラリー化された有機性廃棄物を攪拌するための攪拌羽根１５が配置されている。
【００２３】
メタン発酵槽１４の上部空間からは、ガスホルダー１６に連結される配管が接続されており、メタン発酵槽１４において発生したバイオガスが、ガスホルダー１６に貯蔵されるように構成されている。これによって、このガスホルダー１６に貯蔵されたバイオガスが、燃料電池発電装置、ガスエンジン等の発電機やボイラーの燃料として、ガス利用システム１７で有効利用されるようになっている。
【００２４】
また、この配管には、硫化水素濃度分析計２０が接続されており、バイオガスの一部をサンプリングして硫化水素濃度が計測できるように構成されている。硫化水素濃度分析計２０としては、従来公知の分析計を用いることができ特に限定されない。
【００２５】
更に、メタン発酵槽１４の底部からは、発酵後のスラリーを消化液として取出すための配管が接続されており、この消化液は、処理後の残渣として、図示しない固液分離槽等の後処理装置に送られるように構成されている。
【００２６】
次に、この処理装置を用いた、本発明のメタン発酵処理方法について説明する。
図１において、有機性廃棄物は、粉砕機１１で粗砕された後、更に分解速度及び消化率の向上を図るために、微粉砕機１２で微粉砕・ペースト化されてスラリー調整槽１３に投入される。その後、スラリー調整槽１３においてペースト化された有機性廃棄物は、希釈水により適当な固形物濃度に調整されてスラリー化され、図示しないポンプによりメタン発酵槽１４に送られる。
【００２７】
このメタン発酵槽１４には、メタン菌等の嫌気性微生物が付着・担持された固定化微生物を充填した固定ろ床等が設置されており、ここでスラリー状の有機性廃棄物のメタン発酵が行なわれ、嫌気性微生物による有機性廃棄物の分解が行われる。
【００２８】
なお、メタン発酵槽１５内では、攪拌羽根１５によって、スラリーの攪拌が行なわれる。なお、スラリーの攪拌方法としては、他にポンプにより有機性廃棄物を循環させてもよく、また、バイオガスの一部をポンプによりメタン発酵槽１４の下部に吹き込んでバブリングして攪拌してもよい。
【００２９】
その後、発酵により生成したバイオガスは、ガスホルダー１６に回収され、ガスタービンや燃料電池などのガス利用システム１７でエネルギーとして利用される。
【００３０】
ここで、本発明においては、メタン発酵槽１４内の硫化水素濃度を、硫化水素濃度分析計２０によってモニタリングし、この測定値が所定値以下となるようにメタン発酵槽１４内の硫化水素濃度を調整する。
【００３１】
このような、硫化水素濃度の調整方法としては、例えば、鉄供給タンク１８によって、メタン発酵槽１４内に鉄化合物を添加することが好ましく行なわれる。これによって、硫化水素が鉄化合物と反応して硫化鉄となるので、硫化水素濃度の低下を迅速、確実に行なうことができる。
【００３２】
鉄化合物としては、例えば、塩化第一鉄、塩化第一鉄・四水和物、塩化第一鉄・六水和物等が挙げられ、水溶性の鉄化合物を用いることが好ましい。
【００３３】
また、このとき、硫化水素濃度が少なくとも１００ｐｐｍ以下となるまで鉄化合物を添加することが好ましい。硫化水素濃度が１００ｐｐｍを超えると、ニッケル、コバルトが発酵槽内の硫化水素イオンと容易に結合して硫化ニッケル及び硫化コバルトとなってしまい、ニッケル、コバルトがメタン菌に有効に取り込まれないので好ましくない。
【００３４】
このような鉄化合物の添加量としては、消化汚泥１Ｌに対して、鉄イオンに換算して１００〜３００ｍｇ／Ｌが好ましい。鉄イオンの添加量が１００ｍｇ／Ｌ未満であると、バイオガス中の硫化水素が規定値まで低減しないので好ましくなく、３００ｍｇ／Ｌを超えると、メタン菌活性に悪影響を及ぼし、更に、消化脱離液中の鉄イオン濃度が高くなるので好ましくない。
【００３５】
また、上記の硫化水素濃度は鉄化合物の添加によって一旦急激に低下した後、徐々に増加する。したがって、上記の鉄化合物の添加は適宜所定の間隔で繰返し行なうことが好ましい。所定の間隔は硫化水素濃度分析計２０のモニタリング値によって適宜設定可能であるが、鉄化合物の添加量が、鉄イオンに換算して１００〜３００ｍｇ／Ｌの場合には、鉄化合物の添加間隔は５〜２４時間が好ましい。
【００３６】
次に、上記の硫化水素濃度が所定値以下になった状態で、ニッケル・コバルト供給タンク１９から、ニッケル化合物及び／又はコバルト化合物を供給する。ここで、上記の鉄化合物の添加により、あらかじめ硫化水素濃度が低下されているので、ニッケル、コバルトをイオンの状態でメタン菌内へ有効に取り込むことができる。したがって、メタン菌の活性を充分に向上して、安定した発酵状態を長期間にわたって維持することができる。
【００３７】
ニッケル化合物としては、塩化ニッケル、塩化ニッケル・四水和物、塩化ニッケル・六水和物等が挙げられる。また、コバルト化合物としては、塩化コバルト、塩化コバルト・四水和物、塩化コバルト・六水和物等が挙げられる。これらは水溶性化合物であることが好ましい。
【００３８】
なお、上記の化合物はそれぞれ単独で添加してもよいが、ニッケル化合物とコバルト化合物を併用して添加することが好ましい。この場合、両者の配合割合としてはニッケルイオン及びコバルトイオンとして、１：１〜２：１とすることが好ましい。
【００３９】
また、添加量としては、消化汚泥１Ｌに対して、ニッケルイオン及び／又はコバルトイオンに換算して、０．１〜３０ｍｇ／Ｌとすることが好ましい。ニッケルイオン及び／又はコバルトイオンの添加量が０．１ｍｇ／Ｌ未満であると、菌体活性に必要な摂取量とならないので好ましくなく、３０ｍｇ／Ｌを超えると、上記の鉄化合物と同様に菌活性に悪影響を及ぼすので好ましくない。なお、上記のニッケル化合物及び／又はコバルト化合物は、水溶液として添加することが好ましい。
【００４０】
なお、上記のメタン発酵における温度は５０〜６０℃で行なうことが好ましい。これによれば、より活性の高い、高温メタン菌での発酵が行なえるので、有機性廃棄物の分解速度を更に向上することができる。
【００４１】
以上のメタン発酵処理方法によれば、ニッケル、コバルトを効率良くメタン菌内に取り込めるので、メタン菌の活性が向上する。したがって、メタン発酵槽内の安定した発酵状態を長期間維持できるので、処理効率が向上するとともに、効率よくバイオガスを得ることができる。
【００４２】
【実施例】
以下、本発明を実施例によって更に詳細に説明する。なお、本発明は以下の実施例に限定されるものではない。
【００４３】
実施例
図１に示すような処理装置を用い、本発明のメタン発酵処理方法を用いて連続運転を行なった。メタン発酵槽１４としては容量は１０リットルの発酵槽を使用し、発酵温度は５５℃とした。
【００４４】
鉄供給タンク１８に投入する鉄化合物としては、塩化第一鉄・４水和物を用いた。また、ニッケル・コバルト供給タンク１９に投入する化合物としては、塩化ニッケル及び塩化コバルトを用い、質量部で、塩化ニッケル：塩化コバルト＝１：１となるように投入した。
【００４５】
また、硫化水素濃度計としては、コーンズ・シュマックバイオガス株式会社のバイオガス分析計ＳＳＭ６０００を使用した。
【００４６】
なお、有機性廃棄物としては表１に示す組成の生ゴミ原料を使用した。
【００４７】
【表１】
2004025088.tif 000003
【００４８】
＜鉄化合物添加による硫化水素濃度の測定＞
上記の条件でメタン発酵処理装置を運転し、メタン発酵槽１４へ、上記の生ゴミ原料を固形分濃度１０％に調整された生ゴミスラリーとして導入した。
【００４９】
次に、鉄供給タンク１８からメタン発酵槽１４に、上記の鉄化合物である塩化第一鉄・４水和物を、生ゴミスラリー１Ｌに対して鉄イオン換算で１００ｍｇ／Ｌとなるように添加し、発生したバイオガスに含まれる硫化水素濃度の経時変化を、硫化水素濃度分析計２０により測定した。その結果を図２に示す。
【００５０】
図２によれば、鉄化合物添加前のメタン発酵槽１４内の硫化水素濃度は約２０００〜３０００ｐｐｍであり、鉄化合物の添加後に徐々に硫化水素濃度が低下し、添加後５時間後で１００ｐｐｍ以下に低下した。また、鉄化合物の添加２４時間後においても、次の生ゴミスラリー投入までは２００ｐｐｍ程度を維持していた。
【００５１】
＜メタン発酵処理装置の連続運転＞
上記の条件でメタン発酵処理装置を連続運転し、メタン発酵槽１４へ、上記の生ゴミ原料を固形分濃度１０％に調整された生ゴミスラリーとして導入した。
【００５２】
なお、ＣＯＤｃｒ（化学的酸素要求量）負荷は、図３、４に示すように、運転８日目までは５ｇ／Ｌ／日、その後運転１６日目までは７．５ｇ／Ｌ／日、その後運転日数２３日目までは１０ｇ／Ｌ／日、２４日目以降は１５ｇ／Ｌ／日となるように４段階に設定した。
【００５３】
鉄化合物は、生ゴミスラリー１Ｌに対して鉄イオンに換算して２００ｍｇ／Ｌとなるように添加し、これを２４時間毎に添加した。なお、最初の鉄化合物の添加は運転９日目に行なった。
【００５４】
また、塩化ニッケル及び塩化コバルトは水溶液の状態で添加し、生ゴミスラリー１Ｌに対してニッケルイオン及びコバルトイオンに換算して、０．３〜１．０ｍｇ／Ｌとなるように２４時間毎に添加した。なお、塩化ニッケル及び塩化コバルトの添加は、鉄化合物の添加の５時間後に行なった。
【００５５】
比較例
上記の実施例のメタン発酵処理装置の連続運転において、鉄化合物、ニッケル化合物、コバルト化合物の添加をいずれも行なわない以外は、実施例と同様の条件で運転を行なった。
【００５６】
試験例
実施例及び比較例について、メタン発酵処理装置の運転中の硫化水素濃度を測定した結果を図５、６に、有機酸濃度を測定した結果を図７、８に、ｐＨを測定した結果を図９、１０に示す。
【００５７】
図５、７、９より、実施例である本発明のメタン発酵処理方法においては、総運転日数として６０日以上の運転が可能であり、ＣＯＤｃｒ負荷が１５ｇ／Ｌ／日においても４０日以上の運転が可能であった。また、運転中、硫化水素濃度は１００ｐｐｍ以下と低く、有機酸濃度も概ね５００ｐｐｍ以下であり、ｐＨも７．５〜８．０の間で安定した運転状態であった。
【００５８】
一方、図６、８、１０より、金属添加を行なわない比較例においては、硫化水素濃度が約２０００〜３０００ｐｐｍと高く、特に、ＣＯＤｃｒ負荷が１５ｇ／Ｌ／日である高負荷の状態においては、有機酸濃度が２０００ｐｐｍ以上に急上昇し、ｐＨも６付近まで低下して発酵が停止した。
【００５９】
したがって、比較例においては総運転日数が２８日間に留まり、また、ＣＯＤｃｒ負荷が１５ｇ／Ｌ／日の高負荷運転においては、５日間しか連続運転することができなかった。
【００６０】
【発明の効果】
以上説明したように、本発明によれば、ニッケル、コバルトを効率良くメタン菌内に取り込めるので、メタン菌の活性が向上する。したがって、メタン発酵における処理効率を向上し、安定した発酵状態を長期にわたって維持できるメタン発酵処理方法を提供できる。
【図面の簡単な説明】
【図１】本発明のメタン発酵処理方法に用いることができるメタン発酵処理装置の概略構成図である。
【図２】実施例における鉄化合物添加後の発酵槽の運転時間と硫化水素濃度の変化を測定した図表である。
【図３】実施例における発酵槽の運転期間とＣＯＤｃｒ負荷の変化を測定した図表である。
【図４】比較例における発酵槽の運転期間とＣＯＤｃｒ負荷の変化を測定した図表である。
【図５】実施例における発酵槽の運転期間と硫化水素濃度の変化を測定した図表である。
【図６】比較例における発酵槽の運転期間と硫化水素濃度の変化を測定した図表である。
【図７】実施例における発酵槽の運転期間と有機酸濃度の変化を測定した図表である。
【図８】比較例における発酵槽の運転期間と有機酸濃度の変化を測定した図表である。
【図９】実施例における発酵槽の運転期間とｐＨの変化を測定した図表である。
【図１０】比較例における発酵槽の運転期間とｐＨの変化を測定した図表である。
【符号の説明】
１１　粉砕機
１２　微粉砕機
１３　スラリー調整槽
１４　メタン発酵槽
１５　攪拌羽根
１６　ガスホルダー
１７　ガス利用システム
１８　鉄供給タンク
１９　コバルト・ニッケル供給タンク
２０　硫化水素濃度分析計
【図１】
2004025088.tif 000004
【図２】
2004025088.tif 000005
【図３】
2004025088.tif 000006
【図４】
2004025088.tif 000007
【図５】
2004025088.tif 000008
【図６】
2004025088.tif 000009
【図７】
2004025088.tif 000010
【図８】
2004025088.tif 000011
【図９】
2004025088.tif 000012
【図１０】
2004025088.tif 000013